(57)【要約】【課題】加振体を支持する支持体の一端から他端までの長さに応じて、加振体と響板との間に柔軟体が介在されたりされなかったりして、異常音が防止される。【解決手段】三角金具３６（支持体）の先端に取り付けられている電磁駆動ユニット（加振体）３７の加振面には柔軟板２１が取り付けられ、Ｌ字金具３２の先端の電磁駆動ユニット３１には取り付けられない。この柔軟板２１はクッション性があり、電磁駆動ユニット３７（３１）と響板８との間に介在される。これにより、Ｌ字金具３２及び三角金具３６の長さが長いほど、電磁駆動ユニット３７（３１）の加振に対して響板８の振動が追従しにくく遅れ易くなるが、介在される柔軟板２１によってこの遅れが吸収され、響板８と電磁駆動ユニット３７（３１）とが互いにぶつかり合って生じる異常な共振音が生じない。三角金具３６とＬ字金具３２とはいずれかが一方のみまたは両方が取り付けられる。【選択図】図６
2008268777.tif 000002
【特許請求の範囲】
【請求項１】
振動されて音を放射する平板状の楽器の響板であって、この響板の各部の柾目または木目はほぼ同一方向に揃っている響板と、
この響板表面に取り付けられる複数の響棒であって、この各響棒の各長手方向は上記響板の柾目または木目の方向とは異なる方向にほぼ揃っている複数の響棒と、を備えた楽音装置に対して、
複数種類の楽音からなる楽音信号を機械的変化に変換して、上記楽器の響板を駆動させて同響板より音を放射させる加振体につき、この加振体を一端で支えるとともに、他端で上記楽器本体に固定され、この加振体が響板に当接される力はほぼ同じとされ、上記加振体を上記響板に当接させる支持体において、この支持体の一端から他端までの長さが長いほど、加振体と響板との間に柔軟体が介在され、短いほど同柔軟体が介在されないことを特徴とする楽音装置の生産方法または加工方法。
【請求項２】
振動されて音を放射する平板状の楽器の響板であって、この響板の各部の柾目または木目はほぼ同一方向に揃っている響板と、
この響板表面に取り付けられる複数の響棒であって、この各響棒の各長手方向は上記響板の柾目または木目の方向とは異なる方向にほぼ揃っている複数の響棒と、
複数種類の楽音からなる楽音信号を機械的変化に変換して、上記楽器の響板を駆動させて同響板より音を放射させる複数の加振体と、
この加振体を一端で支えるとともに、他端で上記楽器本体に固定され、この加振体が響板に当接される力はほぼ同じとされ、上記加振体を上記響板に当接させる支持体において、この支持体の一端から他端までの長さが長いほど、加振体と響板との間に柔軟体が介在され、短いほど同柔軟体が介在されないことを特徴とする楽音装置。
【請求項３】
上記支持体の一端から他端までの長さが長いほど、上記柔軟体の厚さは厚くなることを特徴とする請求項２記載の楽音装置。
【請求項４】
上記加振体が響板に当接される力は、加振体の自重、自重の２倍、３倍、４倍、５倍、６倍、７倍、８倍、９倍、１０倍、十数倍または数十倍より大きく、楽器本体内の駒の上記響板への加圧力より小さいことを特徴とする請求項２または３記載の楽音装置。
【請求項５】
上記一端から他端までの長さが長い支持体は、鍵盤楽器の底板の上面に取り付けられ、上記一端から他端までの長さが短い支持体は、鍵盤楽器の棚板の下面に取り付けられることを特徴とする請求項２、３または４記載の楽音装置。
【請求項６】
上記複数の加振体の一部は上方から吊り下げられ、他の一部は下方から持ち上げられていることを特徴とする請求項２、３、４または５記載の楽音装置。
【請求項７】
上記複数の加振体は、上記響板の長手方向に沿って離間され、当該響板の端縁付近に取り付けら得ることを特徴とする請求項２、３、４、５または６記載の楽音装置。  
【請求項８】
上記複数の加振体は、楽音装置の底面からほぼ同じ高さに取り付けられることを特徴とする請求項２、３、４、５、６または７記載の楽音装置。
【請求項９】
上記響板は線対称の形状をしており、この線対称のほぼ軸線上の位置に、上記加振体は取りつけられていることを特徴とする請求項２、３、４、５、６、７または８記載の楽音装置。
【発明の詳細な説明】
【技術分野】
【０００１】
本件発明は、楽音装置に関し、特に、楽器の響板を振動させて、この響板から楽音を発音・放音させるものに関する。
【背景技術】
【０００２】
従来、このような響板（振動板）を振動させるものでは、ピアノの響板に電磁駆動体を接合し、この電磁駆動体に楽音信号を送り込んで、電磁駆動体ではなく、響板を振動させて、この響板から楽音を発音・放音させている。
【０００３】
【特許文献１】実開昭６０−１５０８９４号公報
【特許文献２】特開平８−１４６９４９号公報
【特許文献３】特開平８−１１１８９６号公報
【特許文献４】特開平４−１５６７９９号公報
【特許文献５】特開昭５３−６９６２４号公報
【特許文献６】特開平４−５６９９６号公報
【特許文献７】特開平５−８０７４８号公報
【特許文献８】特開平５−７３０３９号公報
【特許文献９】特願２００６−１８１１３５号（未公開）
【特許文献１０】特願２００６−１６００５４号（未公開）
【特許文献１１】特願２００６−１５１２８７号（未公開）
【特許文献１２】特願２００６−１４１９５４号（未公開）
【特許文献１３】特願２００６−１３５８９９号（未公開）
【発明の開示】
【発明が解決しようとする課題】
【０００４】
しかしながら、このような響板（振動板）で音を出してみると、実際のアコースティックな楽器の楽音と若干異なる楽音となっていた。
【課題を解決するための手段】
【０００５】
上記目的を達成するために、本件発明は、加振体を一端で支えるとともに、他端で上記楽器本体に固定され、この加振体が響板に当接される力はほぼ同じとされ、上記加振体を上記響板に当接させる支持体において、この支持体の一端から他端までの長さが長いほど、加振体と響板との間に柔軟体が介在され、短いほど同柔軟体が介在されないようにした。
【発明の効果】
【０００６】
これにより、支持体の一端から他端までの長さが長いほど、加振体の加振に対して響板の振動が追従しにくく遅れ易くなるが、介在される柔軟体によってこの遅れが吸収され、響板と加振体とが互いにぶつかり合って生じる異常な共振音が生じなくなる。
【０００７】
また、加振体の加振に対して響板の反作用を加振体は受けるが、支持体の一端から他端までの長さが長いほど、この反作用に対して加振体が追従しにくく遅れ易くなるが、介在される柔軟体によってこの遅れが吸収され、響板と加振体とが互いにぶつかり合って生じる異常な共振音が生じなくなる。
【０００８】
このような長さの異なる複数種類の支持体と加振体は、各楽音装置または各鍵盤楽器の取り付けの位置／スペース／状態に応じて、選択されて切り換えられて１つずつ取り付けられる。しかし、場合によって、このような長さの異なる複数種類の支持体と加振体とは、複数種類ずつ各楽音装置または各鍵盤楽器に取り付けられてもよい。
【発明を実施するための最良の形態】
【０００９】
（１）楽音装置の響板８
図１は楽音装置の左方から見た縦断面、図２は楽音装置の右方から見た縦断面、図３は楽音装置の背面を示し、図４は楽音装置の正面を示す。この楽音装置はアコースティックのアップライトピアノの例である。角材状の骨組み（支柱）１は方形枠状に組まれ、さらにこの骨組み（支柱）１の方形枠の内側には、縦に延びる複数例えば三本の内支柱２がほぼ等間隔に固定されている。
【００１０】
この骨組み１及び内支柱２の前面の上側にはピン板３が固定され、同じくこの骨組み１及び内支柱２の前面の下側には底板４が固定され、この骨組み１及び内支柱２の上面には屋根板５が固定され、この骨組み１及び内支柱２の左右両側面側には左親板６、右親板７が固定されている。
【００１１】
このピン板３と底板４と左親板６と右親板７とで囲まれた内側には、方形で平板状の響板８が木ねじ、ボルトまたは接着剤などによって取り付けられている。この響板８は、複数の木材の板が接合されて、大きな一枚の板になっている。これらの繋ぎ合わされている複数の木材板の各部の柾目または木目は、木材板の長手方向に沿ってほぼ同一方向に揃っている。
【００１２】
これにより、響板８の音が響板８の一部に偏ることなく、全体に均一に広がり、響板８から発せられる楽音が不用意に変異したり変質したり歪んだり音量が減少したりしてしまうことがなくなる。この響板８は材木から切り出した単体の板材、または薄い膜板材のほか、ベニヤ板、合板などでもよく、この場合でも、柾目または木目は存在する。
【００１３】
この響板８の柾目または木目の方向は、水平方向に対して２０度乃至７０度、望ましくは３０度乃至６０度、より望ましくは４０度ないし５０度、例えばほぼ斜め４５度の方向となっている。この響板８の板面は垂直方向に沿っている。この響板８は、振動されて音を放射するものである。
【００１４】
この響板８の後面（裏面）の外側の表面には、複数の響棒９…が木ねじ、ボルトまたは接着剤などによって取り付け固定されている。この響棒９…の長手方向は、上記響板８の柾目または木目の方向とは異なる方向であって、ほぼ直交する方向にほぼ揃っている。この響棒９…は、２本乃至３０本、望ましくは５本乃至２０本、たとえば１０本が、ほぼ等間隔で取り付けられている。
【００１５】
上記響棒９…は、水平方向に対して２０度乃至７０度、望ましくは３０度乃至６０度、より望ましくは４０度ないし５０度傾斜していてもよい。これにより、響板８の音が水平方向または／及び垂直方向に偏ることなく、全体に均一に広がり、響板８から発せられる楽音が不用意に変異したり変質したり歪んだり音量が減少したりしてしまうことがなくなる。なお、響板８は長方形状なので、響板８の音は水平方向または／及び垂直方向にもともと偏る性質がある。
【００１６】
上記各響棒９…は、上記響板８の柾目または木目と、４０度乃至１４０度、望ましくは６０度乃至１２０度、より望ましくは８０度ないし１００度、例えばほぼ直交する方向に配置されている。これにより、響板８の音は柾目または木目に沿って伝播し易いが、各響棒９…によって、柾目または木目を跨いで音が伝播され、響板８の音が偏ることなく、全体に均一に広がり、響板８から発せられる楽音が不用意に変異したり変質したり歪んだり音量が減少したりしてしまうことがなくなる。
【００１７】
この響棒９…の両端縁は、上記響板８の端縁まで達している。これにより、上述の響板８の音が水平方向または／及び垂直方向に偏ることが無いことが、響板８の端縁まで達成されることができ、響板８から発せられる楽音が不用意に変異したり変質したり歪んだり音量が減少したりしてしまうことがなくなる。
【００１８】
響棒９…の両端は厚さが薄くなっている。これにより、響棒９…自身の共振が防止され、響板８から発せられる楽音が不用意に変異したり変質したり歪んだり音量が減少したりしてしまうことがなくなる。
【００１９】
上記響棒９…の各間隔は、１０ｃｍ乃至３０ｃｍであり、等間隔ではなく、不等間隔となっていてもよい。これにより、響棒９…が振動の節となって、各響棒９…の間で同じ周波数の音が共振してしまうことがなくなり、響板８から発せられる楽音が不用意に変異したり変質したり歪んだり音量が減少したりしてしまうことがなくなる。このような響棒９…は響板８の後面側以外に前面側に取り付けられてもよい。
【００２０】
上記響板８の前面においてピン板３前面から底板４にかけて金属製のフレーム１０が木ねじ、ボルトまたは接着剤などによって取り付け固定されている。このフレーム１０には多数の弦（ピアノ線）１１…が架け渡されている。この弦１１…と上記響板８との間には駒１２が挟持されて、弦１１…の振動が響板８に伝達されて、響板８が振動して音が出るようになっている。
【００２１】
楽音装置の底板４の前には左右に一対の妻土台１２、１２が木ねじ、ボルトまたは接着剤などによって取り付け固定されている。この妻土台１２、１２の上には垂直に伸びる一対の棚受け柱１３、１３が木ねじ、ボルトまたは接着剤などによって取り付け固定され、この棚受け柱１３、１３の上には水平方向に延びる板状の棚板１４が木ねじ、ボルトまたは接着剤などによって取り付け固定されている。
【００２２】
この棚板１４の手前上には鍵盤１５が取り付けられており、この棚板１４の奥上には腕木１６が木ねじ、ボルトまたは接着剤などによって取り付け固定されている。この腕木１６の前面上縁から棚板１４の上面手前縁にかけて鍵盤蓋１７が開閉可能に木ねじ、ボルトまたは接着剤などによって取り付け固定されている。
【００２３】
上記底板４上面前縁、左親板６内側前縁、右親板７内側前縁、棚板１４下面で囲まれた内側には、方形で平板状の下前板１８が開閉かつ取り外し可能に取り付けられている。上記屋根板５下面前縁、左親板６内側前縁、右親板７内側前縁、鍵盤蓋１７の奥上縁で囲まれた内側には、方形で平板状の上前板１９が開閉かつ取り外し可能に取り付けられている。
【００２４】
（２）電磁駆動ユニット（電磁駆動体／加振体）３１、３７の取り付け構造
図５は電磁駆動ユニット（電磁駆動体／加振体）３１の取り付け構造を示す。上記棚板１４の下面の左側には、金属板からなるＬ字金具３２がねじ留めされている。このＬ字金具３２は、細長い金属板の中央が直角に折り曲げられて「Ｌ」字形になっており、高さは１０乃至３０ｃｍほどである。
【００２５】
このＬ字金具３２の上半分は水平向きになり、棚板１４の下面にねじ留めされる。Ｌ字金具３２の下半分は垂直向きになり、中央に穴があけられている。この穴に頭が六角のボルト３３が挿通され、このボルト３３にナット３４と調節つまみ３５とが螺合され、このナット３４と調節つまみ３５とによって、Ｌ字金具３２を挟持可能となっている。
【００２６】
このボルト３３の先端は、上記電磁駆動ユニット３１の後面中央のねじ穴に螺着固定されている。上記ナット３４と調節つまみ３５とを回してＬ字金具３２を挟持した状態で、電磁駆動ユニット３１を響板８に押し当てて、Ｌ字金具３２を棚板１４下面に固定する。
【００２７】
この後、ナット３４３３と調節つまみ３５とを回して、電磁駆動ユニット３１を響板８に所定の力で押し付ける。この押し付けによって、電磁駆動ユニット３１が加振／振動したとき、電磁駆動ユニット３１と響板８との間に瞬間的に隙間ができず、電磁駆動ユニット３１と響板８とがぶつかり合って異常振動／異常音が発生してしまうことがなくなり、響板８から発せられる楽音が不用意に変異したり変質したり歪んだり音量が減少したりしてしまうことがなくなる。
【００２８】
図６は電磁駆動ユニット（電磁駆動体／加振体）３７の取り付け構造を示す。上記底板４の上面の右側には、金属板からなる三角金具３６がねじ留めされている。この三角金具３６は、細長い金属板の中央付近が直角に「Ｌ字状」に折り曲げられ、この「Ｌ字状」の両先端を架渡すように斜めの金属板がねじ留めされて「三角形」になっており、高さは１０乃至１２０ｃｍほどである。
【００２９】
この三角金具３６の短辺にあたる下面は水平向きになり、上記妻土台１２の奥面（後面）に当接されて、底板４の上面にねじ留めされる。三角金具３６の上先端は垂直向きになり、中央に穴があけられている。この穴に頭が六角のボルト３３が挿通され、このボルト３３にナット３４と調節つまみ３５とが螺合され、このナット３４と調節つまみ３５とによって、三角金具３６を挟持可能となっている。
【００３０】
このボルト３３の先端は、上記電磁駆動ユニット３７の後面中央のねじ穴に螺着固定されている。上記ナット３４と調節つまみ３５とを回して三角金具３６を挟持した状態で、電磁駆動ユニット３７を響板８に押し当てて、三角金具３６を底板４上面に固定する。
【００３１】
この後、ナット３４と調節つまみ３５とを回して、電磁駆動ユニット３７を響板８に所定の力で押し付ける。この押し付けによって、電磁駆動ユニット３７が加振／振動したとき、電磁駆動ユニット３７と響板８との間に瞬間的に隙間ができず、電磁駆動ユニット３７と響板８とがぶつかり合って異常振動／異常音が発生してしまうことがなくなり、響板８から発せられる楽音が不用意に変異したり変質したり歪んだり音量が減少したりしてしまうことがなくなる。
【００３２】
このような電磁駆動ユニット３１、３７は、響板８、底板４、屋根板５、左親板６、右親板７、下前板１８、上前板１９などに、木ねじやボルトなどで留められないので、これらに穴を開けなくて済み、響板８をはじめとする楽音装置の音響特性を変質させてしまうことがなくなる。
【００３３】
また、このように響板８、底板４、屋根板５、左親板６、右親板７、下前板１８、上前板１９などに、木ねじやボルトを取り付けたり、これらに穴を開けたりしなくてよく、電磁駆動ユニット３１、３７は、楽音装置の外からは全く見えないので、電磁駆動ユニット３１、３７を取り付けても楽音装置の外観・美観を損ねることがない。
【００３４】
電磁駆動ユニット３１、３７の外形は円柱状の本体ケースとこの本体ケースの側面に設けられている円形の平坦な振動板とからなっている。電磁駆動ユニット３１、３７の中にはコイルと磁石とが内蔵され、上記本体ケース及び振動板の一方にコイルが連結され他方に磁石が連結される。
【００３５】
上記コイルに複数種類の楽音からなる楽音信号が流れると、コイルに生じる磁界と磁石の磁界との相互作用によって、コイルまたは磁石が振動／駆動／変位し、本体ケースに対して振動板が振動／駆動／変位する。振動板を上記響板８に直接または連結部材を介して接合（取付け／連結／接着を含む）させる。したがって、電磁駆動ユニット３１、３７は、複数種類の楽音からなる楽音信号を機械的変化に変換して、楽器の響板８を駆動させて音を放射させる。
【００３６】
これにより、振動板及び響板８を電磁駆動させて振動させることができる。電磁駆動ユニット３１、３７は、スピーカーとは異なり、それ自体は発音／放音せず、接合された他の物体を電磁駆動させて振動させ発音／放音させるものである。このような電磁駆動ユニット１１は、特開平８−１４６９４９号公報、特開平８−１１１８９６号公報などに開示されている。
【００３７】
三角金具３６の短辺にあたる下面は妻土台１２の奥面（後面）に当接されているので、電磁駆動ユニット３７の響板８への加振力／加圧力の反作用が大きくても、三角金具３６が前方（図６の右方）へずれてしまうことがない。
【００３８】
なお、上記調節つまみ３５はナット、スクリューねじ、蝶ねじなど挟持力または挟持量を調整できるものならば何でもよい。また、三角金具３６の下面手前は上記妻土台１２の奥面（後面）に当接されなくてもよい。
【００３９】
（３）Ｌ字金具３２及び三角金具３６（支持体）と柔軟板２１（柔軟体）
上記三角金具３６（支持体）の先端に取り付けられている電磁駆動ユニット（電磁駆動体／加振体）３７の先端面／加振面には柔軟板２１（柔軟体）が接着剤または接着テープなどによって取り付けられており、Ｌ字金具３２の先端の電磁駆動ユニット３１には取り付けられていない。
【００４０】
この柔軟板２１はクッション性、弾性、可撓性があり、電磁駆動ユニット３７（３１）と響板８との間に介在される。したがって、この柔軟板２１は、Ｌ字金具３２及び三角金具３６（支持体）の長さが長いほど介在され、短いほど介在されないことになる。
【００４１】
これにより、Ｌ字金具３２及び三角金具３６の一端から他端までの長さが長いほど、電磁駆動ユニット３７（３１）の加振に対して響板８の振動が追従しにくく遅れ易くなるが、介在される柔軟板２１によってこの遅れが吸収され、響板８と電磁駆動ユニット３７（３１）とが互いにぶつかり合って生じる異常な共振音が生じなくなる。
【００４２】
また、Ｌ字金具３２及び三角金具３６（支持体）の長さが長い／短いほど、柔軟板２１の厚さは厚く／薄くしてもよい。これにより、介在される柔軟板２１による上記遅れの吸収が、連続的／段階的／無段階に実現される。
【００４３】
このようなＬ字金具３２及び三角金具３６の一端では、上記電磁駆動ユニット３７（３１）が支えられ、他端では楽器本体に固定され、Ｌ字金具３２及び三角金具３６は上記電磁駆動ユニット３７（３１）を響板８に当接させることになる。このＬ字金具３２及び三角金具３６の一端から他端までの長さは、複数の上記電磁駆動ユニット３７、３１ごとに異なっている。
【００４４】
しかも、上記ナット３４と調節つまみ３５の調整量は、電磁駆動ユニット３７、３１の両方において同じであり、電磁駆動ユニット３７、３１が上記響板８に当接される力は同じとなっている。しかし、異なっていてもよい。電磁駆動ユニット３７の当接力の方が大きくてもよいし、電磁駆動ユニット３１の当接力の方が大きくてもよい。これにより、このＬ字金具３２及び三角金具３６の一端から他端までの長さに応じて、電磁駆動ユニット３１の当接力が変化される。
【００４５】
上記柔軟板２１は例えば以下のような材質が用いられる。材質はクロロプレンゴム（デュポン社のネオプレンゴム、Ｎｅｏ−１８０）、硬さＡ６０、引っ張り強さ７．４ＭＰａ、伸び２９０％、圧縮永久ひずみ率３５％（７０℃×２２ｈ）。大きさは電磁駆動ユニット３７、３１の響板８への当接面より若干小さく、厚さは十分の数ｍｍ乃至数ｍｍ、例えば０．５ｍｍ乃至２ｍｍであり、上記のようにクッション性、弾性、可撓性がある。
【００４６】
電磁駆動ユニット３７、３１が上記響板８に当接される力は、電磁駆動ユニット３７、３１の自重と同じ、または自重の２倍、３倍、４倍、５倍、６倍、７倍、８倍、９倍、１０倍、十数倍または数十倍より大きい。電磁駆動ユニット３７、３１の自重は、数百グラム、例えば４００グラム乃至５００グラムである。
【００４７】
このように、電磁駆動ユニット３７、３１が上記響板８に当接される力が電磁駆動ユニット３７、３１の自重より大きいと、電磁駆動ユニット３７、３１の加振力が確実に響板８に伝えられ、響板８と電磁駆動ユニット３７（３１）とが互いにぶつかり合って生じる異常な共振音が生じなくなる。
【００４８】
電磁駆動ユニット３７、３１が上記響板８に当接される力は、楽器本体内の駒２０の上記響板８への加圧力より小さい。の駒２０の上記響板８への加圧力は約数百キログラム、例えば２００ｋｇ乃至４００ｋｇである。
【００４９】
このように、電磁駆動ユニット３７、３１が上記響板８に当接される力が楽器本体内の駒２０の上記響板８への加圧力より小さいと、弦１１の振動／音が駒２０を通じて響板８に伝わるのを妨害して支障を与えることがなくなり、電磁駆動ユニット３７、３１による振動／音以外に弦１１による振動／音も変質されずに確実に響板８から発音／放射される。
【００５０】
上記一端から他端までの長さが長い三角金具３６（支持体）は、本鍵盤楽器の底板４の上面に取り付けられ、上記一端から他端までの長さが短いＬ字金具３２（支持体）は、本鍵盤楽器の棚板１４の下面に取り付けられる。
【００５１】
また、上記一端から他端までの長さが長い三角金具３６（支持体）は、本鍵盤楽器の底板４の下方から持ち上げられ、上記一端から他端までの長さが短いＬ字金具３２（支持体）は、本鍵盤楽器の棚板１４の下面の上方から吊り下げられている。
【００５２】
これにより、電磁駆動ユニット３１、３７からの音の放射位置を鍵盤１５や棚板１４に近い位置にすることができ、鍵盤１５の演奏／操作をしているときに、鍵盤１５を演奏／操作している指／手が、音の放射／振動を感じることができ、実際の演奏に近い感触を得ることができる。
【００５３】
また、三角金具３６の先端の電磁駆動ユニット３７と、Ｌ字金具３２の先端の電磁駆動ユニット３１とは、これらの三角金具３６とＬ字金具３２との間に、底板４、棚板１４、左親板６、右親板７などが介在して、一方の電磁駆動ユニット３１（３７）の振動／音が他方の電磁駆動ユニット３７（３１）に伝わりにくくなり、異常な共振音が生じなくなり、電磁駆動ユニット３１、３７の音質を高く保つことができる。
【００５４】
（４）電磁駆動ユニット３１、３７の取り付け位置
上記電磁駆動ユニット３１は響板８の左端であって、棚板１４のすぐ下の位置に取り付けられている。電磁駆動ユニット３７は響板８の右端であって、棚板１４と底板４のほぼ中間位置に取り付けられている。
【００５５】
これにより、電磁駆動ユニット３１、３７は、上記響板８の柾目または木目に沿った同一線上からずれた位置、及び上記各響棒の各長手方向に沿った同一線上からもずれた位置の響板の表面に取り付けられる。
【００５６】
ここで、電磁駆動ユニット３７は、響板８の右端であって、棚板１４のすぐ下の位置に取り付けられてもよい。この場合でも、電磁駆動ユニット３１、３７は、上記響板８の柾目または木目に沿った同一線上からずれた位置、及び上記各響棒の各長手方向に沿った同一線上からもずれた位置の響板の表面に取り付けられる。
【００５７】
これにより、電磁駆動ユニット３１及び３７からの振動／音が、響板８の柾目または木目に沿ったある線上に偏らず、響棒９…の一部に沿って偏らなくなり、したがって、響板８の振動／音が響板の一部に偏ることがなく、響板８全体に均一に伝達され、また響板８への振動／音の伝達が響板８の隅々までほぼ同じ速度で伝わり、響板８全体が均一に振動／発音し、響板８からの楽音の変質／歪みがなくなる。
【００５８】
また、上記電磁駆動ユニット３１及び３７は、上記響板８のほぼ中心を挟んで、できるだけ互いに離間される位置に取り付けられることにもなる。できるだけ互いに離間される位置は、響板８の隅部／頂点の四隅になる。しかし、響板８の隅部／頂点の四隅を駆動させても、響板８の音量は大きくならない。
【００５９】
響板８の音量を大きくするには、響板８の中心に電磁駆動ユニット３１及び３７を取り付けなくてはならない。しかし、響板８の中心に複数の電磁駆動ユニット３１及び３７を接近して取り付けると、互いに干渉しあって響板８から発せられる楽音が不用意に変異したり変質したり歪んだり音量が減少したりしてしまう。
【００６０】
そこで、両者の調和をはかるため、電磁駆動ユニット３１及び３７は、上記響板８のほぼ中心を挟んで、できるだけ互いに離間される位置に取り付けられることが良いことになる。
【００６１】
上記響板８は、例えば長方形、ひし形のように、互いに直交する方向において、長い部分つまり長手方向と短い部分つまり幅方向とがあるものであり、電磁駆動ユニット３１及び３７は、この長手方向に沿って離間され、響板８の左右の端縁付近に取り付けられている。これにより、互いに干渉しあって響板８から発せられる楽音が不用意に変異したり変質したり歪んだり音量が減少したりしてしまうことがなくなる。
【００６２】
また、電磁駆動ユニット３１及び３７は、響板８の中心を挟んで互いにほぼ対称な位置に取り付けられる。これにより、電磁駆動ユニット３１及び３７からの各振動／各音の響板への伝達に、音量・音質のアンバランスが生じず、電磁駆動ユニット３１及び３７からの各振動／各音を均等に響板８に伝えることができる。
【００６３】
さらに、上記響板８は長方形、正方形、六角形などの、線対称の形状をしており、この線対称のほぼ軸線上の位置に、上記電磁駆動ユニット３１及び３７は、取りつけられている。これにより、電磁駆動ユニット３１及び３７からの各振動／各音が響板８の重心・中心に対して効率よく伝わり、響板８の音量が低下してしまうことがなくなる。
【００６４】
また、電磁駆動ユニット３１及び３７は、楽音装置の底面、つまり底板４からほぼ同じ高さに取り付けられる。これにより、電磁駆動ユニット３１及び３７からの各振動／各音が床面、底板４に反射してかもし出す音場・音の雰囲気にアンバランスが生じず、電磁駆動ユニット３１及び３７からの各振動／各音が左右均等に発せられる。
【００６５】
電磁駆動ユニット３１及び３７は、実際には、響板８の中心、中心線または対称のほぼ軸線からやや下にずれた位置に取り付けられている。これにより、電磁駆動ユニット３１及び３７からの音が上方より下方に向かって強く放射され、演奏者は下から音を感じることができる。
【００６６】
むろん、電磁駆動ユニット３１及び３７は、響板８の中心、中心線または対称のほぼ軸線からやや上にずれた位置に取り付けられてもよい。これにより、電磁駆動ユニット３１及び３７からの音が下方より上方に向かって強く放射され、演奏者は上から音を感じることができる。
【００６７】
さらに、電磁駆動ユニット３１及び３７は、上記響板８において楽音装置の内側に取り付けられ、上記響棒９…は当該響板において楽音装置の外側に取り付けられている。したがって、電磁駆動ユニット３１及び３７は、響棒９…に当たることを防ぐことができる。しかも、楽音装置の外から電磁駆動ユニット３１及び３７を隠すことができ外観を損なうことがない。
【００６８】
しかも、電磁駆動ユニット３１及び３７は、響棒９…に当接しないで、響棒９…に対応した位置に取り付けることも可能となる。これは、上述の、響板８のほぼ中心を挟んで、できるだけ互いに離間される位置、響板８のほぼ中心を挟んで、できるだけ互いに離間される位置に電磁駆動ユニット３１及び３７が取り付けられる場合などに、電磁駆動ユニット３１及び３７の取り付け位置が響棒９…の位置と重なっても大丈夫となり、上記音質を維持してアンバランスを生じない効果を保つことができる。さらに、電磁駆動ユニット３１及び３７の大きさは、響棒９…の間隔より大きくでき、大きさに制限がなくなる。
【００６９】
図８は上記電磁駆動ユニット３１及び３７のうち、一方、例えば、電磁駆動ユニット３１のみを響板８に取り付けた実施例を示す。この実施例では、上記響板８の線対称のほぼ軸線Ｅ上の響板８の辺縁の近辺の位置に取り付けられることになる。なお、電磁駆動ユニット３７のみを響板８に取り付けてもよい。
【００７０】
そして、上記響板８の柾目または木目に沿った方向Ｐは、この軸線Ｅと上記響板８の辺縁の方向ＡＢとからほぼ等角になる。また各響棒９の各長手方向に沿った方向Ｓは、この軸線Ｅと響板８の辺縁の方向ＡＢとからもほぼ等角になる。このような位置の響板８の表面に電磁駆動ユニット３１は取り付けられる。
【００７１】
このような等角位置により、電磁駆動ユニット３１からの振動／音が、響板８の柾目または木目に沿ったある線上に偏らず、響棒９…の一部に沿って偏らなくなり、したがって、響板８の振動／音が響板の一部に偏ることがなく、響板８全体に均一に伝達され、また響板８への振動／音の伝達が響板８の隅々までほぼ同じ速度で伝わり、響板８全体が均一に振動／発音し、響板８からの楽音の変質／歪みがなくなる。
【００７２】
なお、図８では、軸線方向Ｅ、響板の辺縁方向ＡＢ、響板８の柾目または木目に沿った方向Ｐ、各響棒９の各長手方向に沿った方向Ｓの交点は、電磁駆動ユニット３１の中心からずれているが、これは図面を見易くするためであり、電磁駆動ユニット３１の中心に移動しても同じである。
【００７３】
電磁駆動ユニット３１は、響板８の中心に位置してもよいが、上記位置のように中心からずれた位置のほうが、響板８の音質はよくなる。これは、太鼓の幕を叩くのは中心から辺縁にずれた位置を叩くほうが、音質が良くなるのと同様の理由である。しかし、中心からずれると、響板８周縁まで全体に均一に振動／音が伝わらなくなる。そこで上記のような位置に取り付ければ、響板８全体に均一に振動／音が伝わる。
【００７４】
図８では、電磁駆動ユニット３１は、響板８の線対称の軸線Ｅよりやや下に位置している。これにより、楽音装置の下方から床に渡って音が伝わっていくような演奏感触を得ることができる。
【００７５】
上記電磁駆動ユニット３１は、楽音装置の複数の弦１１…が架けられる上記駒２０の各部分からほぼ等距離の位置に取り付けられる。これにより、電磁駆動ユニット３１からの振動／音が駒２０を通じて各弦１１…に均一に伝わり、一部の弦１１…に偏ることがなく、電磁駆動ユニット３１による振動／音と弦１１…の共鳴との調和を取ることができる。
【００７６】
この場合の電磁駆動ユニット３１から等距離の位置にある駒２０は、全ての駒２０ではなく、図４、図８に示すように、低音の弦１１…と中音の弦１１…だけに限られる。これは、高音の波長は短いために、電磁駆動ユニット３１からの長さの差が表れにくいからである。
【００７７】
しかし、電磁駆動ユニット３１のほか、電磁駆動ユニット３７も取り付ければ、高音の弦１１…については、弦１１…が架けられる上記駒２０の各部分から、電磁駆動ユニット３７まで、ほぼ等距離の位置に取り付けられる。
【００７８】
したがって、電磁駆動ユニット３１からは主に低音または中音を出力し、電磁駆動ユニット３７からは主に高音を出力すれば、低音から高音にかけて全ての音域／周波数帯域で、電磁駆動ユニット３１、３７から、弦１１…が架けられる駒２０の各部分まで、ほぼ等距離となり、電磁駆動ユニット３１、３７からの振動／音が駒２０を通じて各弦１１…に均一に伝わり、一部の弦１１…に偏ることがなく、電磁駆動ユニット３１、３７による振動／音と弦１１…の共鳴との調和を取ることができる。以上のことは他方の電磁駆動ユニット３７だけを楽音装置に単独で取り付けた場合についても同様に成立する。
【００７９】
（５）駆動回路
図７は、電磁駆動ユニット３１、３７の駆動回路（楽音制御回路）を示す。パンポット回路４１からは、デジタルから変換されたアナログの、音像を形成するための複数の左右のチャンネル楽音信号が出力される。
【００８０】
パンポット回路４１からの左の楽音信号Ｌは、左ＤＳＰフィルタ４２Ｌでフィルタ制御され、左４バンドイコライザー４３Ｌで周波数特性が平坦にされ、左位相制御回路４４Ｌで楽音信号Ｌの位相が変更され、左アンプ４５Ｌで増幅されて、左側の上記電磁駆動ユニット３１に送られ、上記響板８から放音出力される。
【００８１】
パンポット回路４１からの右の楽音信号Ｒは、左ＤＳＰフィルタ４２Ｒでフィルタ制御され、右４バンドイコライザー４３Ｒで周波数特性が平坦にされ、右位相制御回路４４Ｒで楽音信号Ｒの位相が変更され、右アンプ４５Ｒで増幅されて、右側の上記電磁駆動ユニット３７に送られ、上記響板８から放音出力される。
【００８２】
左位相制御回路４４Ｌ及び右位相制御回路４４Ｒには、楽音信号Ｒ、Ｌの位相の変更量を決定する位相制御データが送り込まれる。このような位相制御データは、上記楽音信号Ｌ、Ｒの音楽的ファクタデータ、外部からＭＩＤＩ回路を通じて送られてくる音楽的ファクタデータ、上記楽音装置の操作パネルから入力された音楽的ファクタデータ空変換される。
【００８３】
この位相制御データの値は、左右の楽音信号Ｌ、Ｒに対して、異なっている。これにより、電磁駆動ユニット３１、３７に送り込まれる楽音信号のそれぞれの位相は異なり、響板８の左部と右部とで位相の異なる楽音を放音させ、ステレオ音響を形成できる。このステレオ音響の状態を上記音楽的ファクタに応じて変更できる。
【００８４】
上述のように上記響板８のほぼ中心を挟んで、電磁駆動ユニット３１、３７は、できるだけ互いに離間される位置に取り付けられるので、両電磁駆動ユニット３１、３７の楽音信号の位相がずれていても、お互いに打ち消しあったり音質が歪んだりしてしまうことがない。
【００８５】
なお、この位相制御データの値は、左右の楽音信号Ｌ、Ｒに対して、同じでもよい。これにより、電磁駆動ユニット３１、３７に送り込まれる楽音信号のそれぞれの位相は同じとなり、両電磁駆動ユニット３１、３７からの楽音信号を互いに強めあって、楽音信号のレベルを大きくしなくても響板８の音量を大きくできる。この場合、両電磁駆動ユニット３１、３７を互いに接近させたり、互いに響板８の中心に近づけたりすることも可能となる。
【００８６】
したがって、両楽音信号Ｌ、Ｒのそれぞれの位相制御データの値の差は、両電磁駆動ユニット３１、３７の離間距離が大きくなるほど、大きくされてもよい。これにより、両電磁駆動ユニット３１、３７に送り込まれる上記楽音信号Ｌ、Ｒのそれぞれの位相差は、この複数の電磁駆動ユニット３１、３７の離間距離が大きくなるほど大きくなり、音量を相乗的に大きくする状態からステレオ音響を形成する状態まで段階的に変えていくことができる。
【００８７】
上記左ＤＳＰフィルタ４２Ｌ、右ＤＳＰフィルタ４２Ｒでは、周波数特性の制御がなされ、例えば、左ＤＳＰフィルタ４２Ｌをローパス、右ＤＳＰフィルタ４２Ｒをハイパスとしたり、左ＤＳＰフィルタ４２Ｌと右ＤＳＰフィルタ４２Ｒとのカットオフ周波数を異ならせて、右ＤＳＰフィルタ４２Ｒからより低音が通過するようにしたりされる。これにより、響板８の右がであって鍵盤の低音域側より、より低音が出力される。こうして、実際のアコースティック鍵盤楽器により近い音の出方を実現できる。
【００８８】
すなわち、実際のピアノなどのアコースティック楽器では、操作している鍵盤自体に、発音している楽音の振動が直に伝わってくる。この伝達振動は、鍵盤の低音域を操作していると、この低音域の鍵に低音の振動が伝わってくるし、鍵盤の高音域を操作していると、この高音域の鍵に高音の振動が伝わってくるし、鍵盤の中音域を操作していると、この中音域の鍵に中音の振動が伝わってくる。これは、弦楽器、管楽器、打楽器でも同様である。このようなアコースティック楽器の生の演奏感覚を本楽音装置では得ることができる。
【００８９】
（６）他の実施の形態
本件発明は上記実施例に限定されず、本件発明の趣旨を逸脱しない範囲で種々変更可能である。例えば、三角金具３６（支持体）、Ｌ字金具３２（支持体）は、底板４、棚板１４だけでなく、ピン板３、左親板６、右親板７、下前板１８、上前板１９などの内側にまたは外側に取り付けられてもよい。
【００９０】
金具３６、３２（支持体）の数及び電磁駆動ユニット３１、３７（加振体）の数は、３つ以上であってもよく、金具３６、３２（支持体）のそれぞれの長さは短いものから長いものまで種々の異なる長さであってもよい。この場合、金具３６、３２（支持体）が長くなるにしたがって、柔軟板２１の厚さは厚くなり、金具３６、３２（支持体）が短くなるにしたがって、柔軟板２１の厚さは薄くなりまたは無くなる。
【００９１】
電磁駆動ユニット（電磁駆動体／加振体）３１、３７は、響板８の右方中央と左方中央のほか、上方中央と下方中央、右上隅と左下隅、右下隅と左上隅、中心付近などに取り付けられてもよい。
【００９２】
電磁駆動ユニット３１、３７は響板８に対して３つ以上、４つ以上取り付けられてもよく、響板８の数も複数としてもよい。この場合、右方中央と左方中央と上方中央と下方中央に取り付けられたり、右上隅と左下隅と右下隅と左上隅に取り付けられたりする。
【００９３】
電磁駆動ユニット３１、３７及び響板８は、本楽音装置の上面、前面、左側面または右側面などに設けられてもよいし、ツィーターまたはスピーカーで代用可能である。電磁駆動ユニット３１、３７には同じ楽音信号であってモノラル信号が送り込まれてもよいし、電磁駆動ユニット３１、３７は単数とされてもよく、送り込まれる楽音信号はモノラル信号でもよい。
【００９４】
電磁駆動ユニット３１、３７は、長方形の響板８の各長辺の辺縁の中央付近または長辺の辺縁の中央付近からずれた近傍のほか、長方形の響板８の各短辺の辺縁の中央付近または短辺の辺縁の中央付近からずれた近傍に設けられてもよい。この場合でも、響板８の線対称のほぼ軸線上の響板８の辺縁の近辺の位置に設けられることになる。
【００９５】
電磁駆動ユニット３１、３７は、響板８の各辺の中央付近のほか、角／隅付近に取り付けられても良い。この場合、音量は低下する可能性はあるが、各電磁駆動ユニット３１、３７相互の干渉の可能性が小さくなる。電磁駆動ユニット３１、３７は、上記響板８の幅方向に沿って離間され、当該響板８端縁付近に取り付けられてもよい。この場合、各電磁駆動ユニット３１、３７相互の干渉の可能性は高まるが、音量は増加する。
【００９６】
電磁駆動ユニット３１、３７は、響板８の中心を挟んで互いにほぼ対称な位置に取り付けられるが、非対称な位置に取り付けられてもよい。この場合、響板８の中心から各電磁駆動ユニット３１、３７までの距離は異なる。電磁駆動ユニット３１、３７は、楽音装置の底面から異なる高さに取り付けられてもよい。これにより、複数の電磁駆動ユニット３１、３７のうちの一方の振動／音を床の方から伝わるようにし、他方の振動／音を楽音装置の上付近または中央付近から伝わるようにできる。
【００９７】
電磁駆動ユニット３１、３７は、下前板１８の内側に取り付けられたが、一方または両方とも上前板１９の内側に取り付けられてもよい。下前板１８及び上前板１９の一方の内側とした方が、取り付けが容易となる。
【００９８】
電磁駆動ユニット３１、３７は、響板８のほか、底板４、屋根板５、左親板６、右親板７、下前板１８、上前板１９などに取り付けられてもよい。電磁駆動ユニット３１、３７は、響板８の内側／内面ではなく、響板８の外側／外面に取り付けられてもよい。
【００９９】
電磁駆動ユニット３１、３７に送り込まれる楽音信号Ｌ、Ｒは、同じレベルであるが、異なるレベルにしてもよい。これにより、電磁駆動ユニット３１、３７で形成されるステレオ音響がより強調される。
【０１００】
響板８の響棒９…の一部または全部が省略されても良い。響板８の響棒９…の断面形状は方形、三角形、多角形、円形、楕円、半円形、かまぼこ形、扇形など細長ければどのような形状でもよいし、線対称の形状以外の形状でもよい。響棒９…の両端は細くなっているが、響棒９…の太さは均一でもよいし、細い太いが交互に入れ換わったり、中央が細くなったり太くなったり、端が太くなったり細くなったり、真直ぐなもののほか湾曲していてもよい。
【０１０１】
響棒９…は、等間隔に取り付けられてもよいし、不等間隔に取り付けられても良いし、垂直方向／縦向きに取り付けられてもよいし、水平方向／横向きに取り付けられてもよいし、これらが混在してもよい。響棒９…は響板８の外面／後面／背面ではなく、内面／前面／正面にも取り付けられてもよいし、両面に取り付けられても良い。この場合、響板８の柾目と垂直方向または斜めに交差するように取り付けられる。
【０１０２】
響棒９…の各間隔は、電磁駆動ユニット３１、３７の直径より小さくてもよい。この場合、電磁駆動ユニット３１、３７は響棒９…の間に位置せず、響棒９…の一本または複数に重なって取り付けられることになる。電磁駆動ユニット３１、３７は響板８の中心に取り付けられてもよい。響棒９…の各間隔は、鍵盤２２の中の低音域の楽音が出力指示される側に近づくにしたがって徐々に広くなっても、徐々に狭くってなってもよい。各響棒９…は互いに平行であったが、一部または全部が平行でなくてもよい。
【０１０３】
楽音装置本体（底板４、屋根板５、左親板６、右親板７、響板８、下前板１８、上前板１９）は、箱型であったが、八面体、十二面体、円筒、円柱、テーパ状、ラッパ状、球形、湾曲立体など、どのような形状であってもよい。響板８の形状は方形以外に、円形、多角形、環状など、平坦であればどのような形状でもよい。
【０１０４】
上記響板８は、平坦であるが、凹条に湾曲していても良いし、凸状に湾曲していてもよい。これにより、響板８から発生される楽音の波形は平面波ではなく、球面波になる。電磁駆動ユニット（電磁駆動体）３１、３７は、スピーカー、ツィーターなどに置き換えられても良い。
【０１０５】
また、本件発明の装置を取り付ける楽器は、アップライトピアノのほか、グランドピアノ、電子ピアノ、電子オルガン、チェンバロ、電子チェンバロ、鍵盤ハーモニカ、電子鍵盤ハーモニカなど鍵盤があればどのような楽器でもよいし、弦楽器でもよいし、鍵盤楽器以外の楽器などでもよい。この場合、響板８はほぼ垂直方向／ほぼ縦向きではなくほぼ水平方向／ほぼ横向きに配置されるので、電磁駆動ユニット３１、３７もほぼ横向き／水平方向向きにされて取り付けられる。響棒９…の一部または全部は省略可能である。
【０１０６】
さらに、上記複数種類の楽音からなる楽音信号は、複数種類の楽器、音色、音高または／及びタッチの楽音の信号からなっており、ポリフォニックに発音される楽音の信号であり、低音、中音、高音の各周波数帯域の楽音が含まれている。このような楽音信号には、楽器の弦自体、管自体、打自体の部分の楽音の信号ほか、響板８部分の楽音の信号も含まれるが、弦自体、管自体、打自体の部分の楽音の信号のみでもよいし、実際のアコースティック楽器の響板８部分の楽音の信号のみでもよいし、上記複数種類の楽音からなる楽音信号はＰＣＭなどのデジタル信号でも良い。
【０１０７】
電磁駆動ユニット３１、３７が響板８の中心からずれた位置に取り付けられているので、響板８の振動が共振したりしてしまうことがなくなり、響板８から発せられる楽音が不用意に変異したり変質したり歪んだり音量が減少したりしてしまうことがなくなり、実際のアコースティックな楽器の楽音に近づけることができる。
【０１０８】
この電磁駆動ユニット３１、３７は、響棒９…の間に取り付けられてもよい。これにより、響板８を電磁駆動ユニット３１、３７で振動させてから、この響板８の振動が響棒９…を通じて響板８全体に伝達され、響板８より響棒９の方が先に音が伝達されることがなくなり、響板８全体に音が均一に伝わることができる。
【０１０９】
上記響棒９…の各間隔は、１０ｃｍ乃至３０ｃｍであり、等間隔ではなく、不等間隔となっていてもよい。これにより、響棒９…が振動の節となって、各響棒９…の間で同じ周波数の音が共振してしまうことがなくなり、響板８から発せられる楽音が不用意に変異したり変質したり歪んだり音量が減少したりしてしまうことがなくなる。このような響棒９…は響板８の後面側以外に前面側に取り付けられてもよい。
【０１１０】
響棒９…の各間隔は不均一としてもよい。これにより、響棒９…の各間隔の響板８部分から発せられる楽音に高さに違いが生じ、響板８の振動が共振したりしてしまうことがなくなり、響板８から発せられる楽音が不用意に変異したり音量が減少したりしてしまうことがなくなり、実際のアコースティックな楽器の楽音に近づけることができる。
【０１１１】
電磁駆動ユニット３１、３７に送り込まれる上記楽音信号のそれぞれの大きさ／レベル／音量または周波数帯域は同じであるが、一方が他方より大きくてもよいし、一方が高音域、他方が低音域でもよい。これにより、響板８の音量分布を部分的に変えることができるし、響板８の周波数帯域分布を部分的に変えることもできる。
【０１１２】
（７）他の発明の効果
［１］振動されて音を放射する平板状の楽器の響板であって、この響板の各部の柾目または木目はほぼ同一方向に揃っている響板と、  この響板表面に取り付けられる複数の響棒であって、この各響棒の各長手方向は上記響板の柾目または木目の方向とは異なる方向にほぼ揃っている複数の響棒と、を備えた楽音装置に対して、  複数種類の楽音からなる楽音信号を機械的変化に変換して、上記楽器の響板を駆動させて同響板より音を放射させる加振体につき、  この加振体を一端で支えるとともに、他端で上記楽器本体に固定され、この加振体が響板に当接される力はほぼ同じとされ、上記加振体を上記響板に当接させる支持体において、この支持体の一端から他端までの長さが長いほど、加振体と響板との間に柔軟体が介在され、短いほど同柔軟体が介在されないことを特徴とする楽音装置の生産方法または加工方法。
【０１１３】
[２]振動されて音を放射する平板状の楽器の響板であって、この響板の各部の柾目または木目はほぼ同一方向に揃っている響板と、  この響板表面に取り付けられる複数の響棒であって、この各響棒の各長手方向は上記響板の柾目または木目の方向とは異なる方向にほぼ揃っている複数の響棒と、  複数種類の楽音からなる楽音信号を機械的変化に変換して、上記楽器の響板を駆動させて同響板より音を放射させる複数の加振体と、  この加振体を一端で支えるとともに、他端で上記楽器本体に固定され、この加振体が響板に当接される力はほぼ同じとされ、上記加振体を上記響板に当接させる支持体において、この支持体の一端から他端までの長さが長いほど、加振体と響板との間に柔軟体が介在され、短いほど同柔軟体が介在されないことを特徴とする楽音装置。
【０１１４】
[３]上記支持体の一端から他端までの長さが長いほど、上記柔軟体の厚さは厚くなることを特徴とする請求項２記載の楽音装置。ここで、支持体の一端から他端までの長さが長いほど、加振体の加振に対して響板の振動が追従しにくく遅れ易くなるが、介在される柔軟板によってこの遅れが吸収され、響板と加振体とが互いにぶつかり合って生じる異常な共振音が生じなくなる。したがって、介在される柔軟板によるこの遅れの吸収が、連続的／段階的／無段階に実現される。
【０１１５】
[４]上記加振体が響板に当接される力は、加振体の自重、自重の２倍、３倍、４倍、５倍、６倍、７倍、８倍、９倍、１０倍、十数倍または数十倍より大きく、楽器本体内の駒の上記響板への加圧力より小さいことを特徴とする請求項２または３記載の楽音装置。これにより、加振体が響板に当接される力が加振体の自重より大きいと、加振体の加振力が確実に響板に伝えられ、響板と加振体とが互いにぶつかり合って生じる異常な共振音が生じなくなる。また、加振体が響板に当接される力が楽器本体内の駒の響板への加圧力より小さいと、弦の振動／音が駒を通じて響板に伝わるのを妨害して支障を与えることがなくなり、加振体による振動／音以外に弦による振動／音も変質されずに確実に響板から発音／放射される。
【０１１６】
[５]上記一端から他端までの長さが長い支持体は、鍵盤楽器の底板の上面に取り付けられ、上記一端から他端までの長さが短い支持体は、鍵盤楽器の棚板の下面に取り付けられることを特徴とする請求項２、３または４記載の楽音装置。これにより、加振体からの音の放射位置を鍵盤や棚板に近い位置にすることができ、鍵盤を演奏／操作している指／手が、音の放射／振動を感じることができ、実際の演奏に近い感触を得ることができる。また、各支持体の加振体の間が、この支持体、底板、棚板、左親板、右親板などが介在して、一方の加振体の振動／音が他方の加振体に伝わりにくくなり、異常な共振音が生じなくなり、加振体の音質を高く保つことができる。
【０１１７】
[６]上記複数の加振体の一部は上方から吊り下げられ、他の一部は下方から持ち上げられていることを特徴とする請求項２、３、４または５記載の楽音装置。これにより、加振体からの音の放射位置を鍵盤や棚板に近い位置にすることができ、鍵盤を演奏／操作している指／手が、音の放射／振動を感じることができ、実際の演奏に近い感触を得ることができる。また、各支持体の加振体の間が、この支持体、底板、棚板、左親板、右親板などが介在して、一方の加振体の振動／音が他方の加振体に伝わりにくくなり、異常な共振音が生じなくなり、加振体の音質を高く保つことができる。
【０１１８】
[７]上記複数の加振体は、上記響板の長手方向に沿って離間され、当該響板の端縁付近に取り付けら得ることを特徴とする請求項２、３、４、５または６記載の楽音装置。これにより、複数の加振体が接近して複数の加振体からの振動／音が互いに干渉しあって響板から発せられる楽音が不用意に変異したり変質したり歪んだり音量が減少したりしてしまうことがなくなる。
【０１１９】
[８]上記複数の加振体は、楽音装置の底面からほぼ同じ高さに取り付けられることを特徴とする請求項２、３、４、５、６または７記載の楽音装置。これにより、加振体からの各振動／各音が床面、楽音装置の底板に反射してかもし出す音場・音の雰囲気にアンバランスが生じず、加振体からの各振動／各音が左右均等に発せられる。
【０１２０】
[９]上記響板は線対称の形状をしており、この線対称のほぼ軸線上の位置に、上記加振体は取りつけられていることを特徴とする請求項２、３、４、５、６、７または８記載の楽音装置。これにより、加振体からの各振動／各音が響板の重心・中心に対して効率よく伝わり、響板の音量が低下してしまうことがなくなる。
【０１２１】
[１１]振動されて音を放射する平板状の楽器の響板であって、この響板の各部の柾目または木目はほぼ同一方向に揃っている線対称の響板と、  この響板表面に取り付けられる複数の響棒であって、この各響棒の各長手方向は上記響板の柾目または木目の方向とは異なる方向にほぼ揃っている複数の響棒と、を備えた楽音装置に対して、  複数種類の楽音からなる楽音信号を機械的変化に変換して、上記楽器の響板を駆動させて同響板より音を放射させる加振体を、上記響板の線対称のほぼ軸線上の響板の辺縁の近辺の位置であって、上記響板の柾目または木目に沿った方向が、この軸線と上記響板の辺縁の方向とからほぼ等角になるとともに、各響棒の各長手方向に沿った方向が、この軸線と上記響板の辺縁の方向とからもほぼ等角になる位置の響板の表面に取り付けることを特徴とする楽音装置の生産方法または加工方法。
【０１２２】
[１２]振動されて音を放射する平板状の楽器の響板であって、この響板の各部の柾目または木目はほぼ同一方向に揃っている線対称の響板と、  この響板表面に取り付けられる複数の響棒であって、この各響棒の各長手方向は上記響板の柾目または木目の方向とは異なる方向にほぼ揃っている複数の響棒と、  複数種類の楽音からなる楽音信号を機械的変化に変換して、上記楽器の響板を駆動させて同響板より音を放射させる加振体であって、上記響板の線対称のほぼ軸線上の響板の辺縁の近辺の位置であって、上記響板の柾目または木目に沿った方向が、この軸線と上記響板の辺縁とからほぼ等角になるとともに、各響棒の各長手方向に沿った方向が、この軸線と上記響板の辺縁とからもほぼ等角になる位置の響板の表面に取り付けられる加振体とを備えたことを特徴とする楽音装置。
【０１２３】
[１３]上記加振体は、楽音装置の複数の弦が架けられる駒の各部分からほぼ等距離の位置に取り付けられることを特徴とする請求項１２記載の楽音装置。これにより、加振体からの振動／音が駒を通じて各弦に均一に伝わり、一部の弦に偏ることがなく、加振体による振動／音と弦の共鳴との調和を取ることができる。
【０１２４】
[１４]振動されて音を放射する平板状の楽器の響板であって、この響板の各部の柾目または木目はほぼ同一方向に揃っている響板と、  この響板表面に取り付けられる複数の響棒であって、この各響棒の各長手方向は上記響板の柾目または木目の方向とは異なる方向にほぼ揃っている複数の響棒と、を備えた楽音装置に対して、  複数種類の楽音からなる楽音信号を機械的変化に変換して、上記楽器の響板を駆動させて同響板より音を放射させる複数の加振体を、上記響板の柾目または木目に沿った同一線上からずれた位置及び上記各響棒の各長手方向に沿った同一線上からもずれた位置の響板の表面に取り付けることを特徴とする楽音装置の生産方法または加工方法。
【０１２５】
[１５]振動されて音を放射する平板状の楽器の響板であって、この響板の各部の柾目または木目はほぼ同一方向に揃っている響板と、  この響板表面に取り付けられる複数の響棒であって、この各響棒の各長手方向は上記響板の柾目または木目の方向とは異なる方向にほぼ揃っている複数の響棒と、  複数種類の楽音からなる楽音信号を機械的変化に変換して、上記楽器の響板を駆動させて同響板より音を放射させる複数の加振体であって、上記響板の柾目または木目に沿った同一線上からずれた位置及び上記各響棒の各長手方向に沿った同一線上からもずれた位置の響板の表面に取り付けられる複数の加振体と、を備えたことを特徴とする楽音装置。
【０１２６】
[１６]上記複数の加振体は、上記響板の長手方向に沿って離間され、当該響板の端縁付近に取り付けられることを特徴とする請求項１５記載の楽音装置。これにより、複数の加振体が接近して複数の加振体からの振動／音が互いに干渉しあって響板から発せられる楽音が不用意に変異したり変質したり歪んだり音量が減少したりしてしまうことがなくなる。
【０１２７】
[１７]上記複数の加振体は、上記響板のほぼ中心を挟んで、できるだけ互いに離間される位置に取り付けられることを特徴とする請求項１５または１６記載の楽音装置。これにより、複数の加振体が接近して複数の加振体からの振動／音が互いに干渉しあって響板から発せられる楽音が不用意に変異したり変質したり歪んだり音量が減少したりしてしまうことがなくなる。
【０１２８】
[１８]上記加振体は、上記響板の中心を挟んで互いにほぼ対称な位置に取り付けられることを特徴とする請求項１５、１６または１７載の楽音装置。これにより、加振体からの各振動／各音の響板への伝達に、音量・音質のアンバランスが生じず、加振体からの各振動／各音を均等に響板８に伝えることができる。
【０１２９】
[１９]上記複数の加振体は、楽音装置の底面からほぼ同じ高さに取り付けられることを特徴とする請求項５、６、７または８記載の楽音装置。これにより、加振体からの各振動／各音が床面、楽音装置の底板に反射してかもし出す音場・音の雰囲気にアンバランスが生じず、加振体からの各振動／各音が左右均等に発せられる。
【０１３０】
[２０]上記響板は線対称の形状をしており、この線対称のほぼ軸線上の位置に、上記加振体は取りつけられていることを特徴とする請求項１５、１６、１７、１８または１９記載の楽音装置。これにより、加振体からの各振動／各音が響板の重心・中心に対して効率よく伝わり、響板の音量が低下してしまうことがなくなる。
【０１３１】
[２１]上記加振体は、上記響板において楽音装置の内側に取り付けられ、上記響棒は当該響板において楽音装置の外側に取り付けられていることを特徴とする請求項１２、１５、１６、１７、１８、１９または２０記載の楽音装置。これにより、加振体が響棒に当たることを防ぐことができる。しかも、楽音装置の外から加振体を隠すことができ外観を損なうことがない。しかも、加振体は、響棒に当接しないで、響棒に対応した位置に取り付けることも可能となる。
【０１３２】
[２２]上記複数の加振体に送り込まれる上記楽音信号のそれぞれの位相は異なっていることを特徴とする請求項１２、１５、１６、１７、１８、１９、２０または２１記載の楽音装置。これにより、１つの響板で位相の異なる音を出して、ステレオ音響を形成できる。しかも、響板からの音は平面波なので、音像を形成できる範囲を一点ではなく広くできる。
【０１３３】
[２３]上記複数の加振体に送り込まれる上記楽音信号のそれぞれの位相は同じであることを特徴とする請求項１２、１５、１６、１７、１８、１９、２０、２１または２２記載の楽音装置。これにより、響板からの音が強め合って大きくなる。
【０１３４】
[２４]上記複数の加振体に送り込まれる上記楽音信号のそれぞれの位相差は、この複数の加振体の離間距離が大きくなるほど大きくなることを特徴とする１２、１５、１６、１７、１８、１９、２０、２１、２２または２３記載の楽音装置。これにより、音量を相乗的に大きくする状態からステレオ音響を形成する状態まで段階的に変えていくことができる。
【産業上の利用可能性】
【０１３５】
加振体を支持する支持体の一端から他端までの長さに応じて、加振体と響板との間に柔軟体が介在されたりされなかったりして、異常音が防止される。加振体を支持する支持体の一端から他端までの長さが長いほど、加振体と響板との間に柔軟体が介在され、短いほど同柔軟体が介在されない。これにより、響板と加振体との間の異常音が防止される。
【０１３６】
三角金具３６（支持体）の先端に取り付けられている電磁駆動ユニット（加振体）３７の加振面には柔軟板２１が取り付けられ、Ｌ字金具３２の先端の電磁駆動ユニット３１には取り付けられない。この柔軟板２１はクッション性があり、電磁駆動ユニット３７（３１）と響板８との間に介在される。
【０１３７】
これにより、Ｌ字金具３２及び三角金具３６の長さが長いほど、電磁駆動ユニット３７（３１）の加振に対して響板８の振動が追従しにくく遅れ易くなるが、介在される柔軟板２１によってこの遅れが吸収され、響板８と電磁駆動ユニット３７（３１）とが互いにぶつかり合って生じる異常な共振音が生じない。三角金具３６とＬ字金具３２とはいずれかが一方のみまたは両方が取り付けられる。
【０１３８】
響板の柾目の方向が、響板の線対称の軸線と響板の辺縁とから等角になり、各響棒の方向が、この軸線と響板の辺縁とから等角になる位置に加振体が取り付けられ、加振体からの振動／音が、響板の柾目及び響棒の一部に沿って偏らなくなる。
【０１３９】
電磁駆動ユニット３１は、響板８の線対称のほぼ軸線Ｅ上の響板８の辺縁の近辺の位置に取り付けられる。響板８の柾目の方向Ｐは、この軸線Ｅと響板８の辺縁の方向ＡＢとからほぼ等角になる。各響棒９の方向Ｓは、この軸線Ｅと響板８の辺縁の方向ＡＢとからもほぼ等角になる。
【０１４０】
このような等角位置により、電磁駆動ユニット３１からの振動／音が、響板８の柾目に沿って偏らず、響棒９…の一部に沿って偏らず、響板８の振動／音が響板の一部に偏らず、響板８全体に均一に伝達され、響板８からの楽音の変質／歪みがなくなる。
【０１４１】
響板の柾目及び響棒の各長手方向に沿った同一線上からずれた位置の響板表面に加振体が取付けられ、加振体からの振動／音が、響板の柾目及び響棒の一部に沿って偏らなくなる。左の電磁駆動ユニット３１は響板８の左端（図３右端）であって、棚板１４のすぐ下の位置に取り付けられている。右の電磁駆動ユニット３７は響板８の右端（図３左端）であって、棚板１４と底板４のほぼ中間位置に取り付けられている。
【０１４２】
電磁駆動ユニット３１及び３７は、響板８の長手方向に沿って離間され、響板８の左右の端縁付近に取り付けられている。これにより、互いに干渉しあって響板８から発せられる楽音が不用意に変異したり変質したり歪んだり音量が減少したりしてしまうことがなくなる。
【図面の簡単な説明】
【０１４３】
【図１】楽音装置の左方から見た縦断面を示す。
【図２】楽音装置の右方から見た縦断面を示す。
【図３】楽音装置の背面を示す。
【図４】楽音装置の正面を示す。
【図５】電磁駆動ユニット（電磁駆動体／加振体）３１の取り付け構造を示す。
【図６】電磁駆動ユニット（電磁駆動体／加振体）３７の取り付け構造を示す。
【図７】電磁駆動ユニット３１、３７の駆動回路（楽音制御回路）を示す。
【図８】電磁駆動ユニット（電磁駆動体／加振体）３１の取り付け位置を示す。
【符号の説明】
【０１４４】
１…骨組み（支柱）、２…内支柱、
３…ピン板、４…底板、
５…屋根板、６…左親板、
７…右親板、８…響板、
９…響棒、１０…フレーム、
１１…弦（ピアノ線）、１２…妻土台、
１３…棚受け柱、１４…棚板、
１５…鍵盤、１６…腕木、
１７…鍵盤蓋、１８…下前板、
１９…上前板、２１…柔軟板、
３１、３７…電磁駆動ユニット（電磁駆動体／加振体）、
３２…Ｌ字金具、３３…ボルト、
３４…ナット、３５…調節つまみ、
３６…三角金具、４１…パンポット回路、
４２Ｌ…左ＤＳＰフィルタ、４２Ｒ…右ＤＳＰフィルタ、
４３Ｌ…左４バンドイコライザー、４３Ｒ…右４バンドイコライザー、
４４Ｌ…左位相制御回路、４４Ｒ…右位相制御回路、
４５Ｌ…左アンプ、４５Ｒ…右アンプ。
【図１】
2008268777.tif 000003
【図２】
2008268777.tif 000004
【図３】
2008268777.tif 000005
【図４】
2008268777.tif 000006
【図５】
2008268777.tif 000007
【図６】
2008268777.tif 000008
【図７】
2008268777.tif 000009
【図８】
2008268777.tif 000010